(57)【要約】【課題】遊技場内の各遊技機島の貯留量を効率よく均一にすることのできる遊技球移送制御装置を提供する。【解決手段】遊技球移送制御装置１４は、複数の遊技機島６０をグループ分けし、そのグループ毎に、遊技球の平均貯留量を求め、これら平均貯留量の差が減少するようにグループ間で遊技球を移送する動作を、グループの分け方を変更して繰り返し行なう。【選択図】図３
2006271573.tif 000002
【特許請求の範囲】
【請求項１】
遊技球の貯留タンクを備えた複数の遊技機島間で遊技球の移送を制御する遊技球移送制御装置において、
前記複数の遊技機島をグループ分けし、そのグループ毎に、遊技球の平均貯留量を求め、これら平均貯留量の差が減少するようにグループ間で遊技球を移送する動作を、
グループの分け方を変更して繰り返し行なう
ことを特徴とする遊技球移送制御装置。
【請求項２】
前記動作を、前記複数の遊技機島の貯留量のうち最大値と最小値との差が所定値以下になるまで、グループの分け方を変更して繰り返す
ことを特徴とする請求項１に記載の遊技球移送制御装置。
【請求項３】
前記グループ間の平均貯留量の差が所定値以上の場合のみ、グループ間で遊技球を移送する
ことを特徴とする請求項１または２に記載の遊技球移送制御装置。
【請求項４】
一回の移送量を固定量にした
ことを特徴とする請求項１、２または３に記載の遊技球移送制御装置。
【請求項５】
前記複数の遊技機島は遊技球の移送路で一列に接続されており、
前記複数の遊技機島を２つにグループ分けすると共に、グループ分けの境界位置を、前記一列を巡回または往復するように移動させる
ことを特徴とする請求項１、２、３または４に記載の遊技球移送制御装置。
【請求項６】
遊技球の貯留タンクを備えた複数の遊技機島間で遊技球の移送を制御する遊技球移送制御装置において、
前記複数の遊技機島は遊技球の移送路で一列に接続されており、
前記複数の遊技機島全体の平均貯留量を求め、
貯留量が最大の遊技機島を検出し、その遊技機島を境界にした両側の各遊技機島を一方と他方とにグループ分けし、各グループの平均貯留量を求め、グループでの平均貯留量が全体での平均貯留量より少ないグループへ前記貯留量が最大の遊技機島から遊技球を移送する動作を、
少なくとも貯留量が最大の遊技機島を検出することから繰り返し行なう
ことを特徴とする遊技球移送制御装置。
【請求項７】
遊技球の貯留タンクを備えた複数の遊技機島間で遊技球の移送を制御する遊技球移送制御装置において、
前記複数の遊技機島は遊技球の移送路で一列に接続されており、
前記複数の遊技機島全体の平均貯留量を求め、
貯留量が最小の遊技機島を検出し、その遊技機島を境界にした両側の各遊技機島を一方と他方とにグループ分けし、各グループの平均貯留量を求め、グループでの平均貯留量が全体での平均貯留量より多いグループから前記貯留量が最小の遊技機島へ遊技球を移送する動作を、
少なくとも貯留量が最小の遊技機島を検出することから繰り返し行なう
ことを特徴とする遊技球移送制御装置。
【請求項８】
前記動作を、前記最大あるいは前記最小の貯留量が前記複数の遊技機島全体の平均貯留量に近づくまで繰り返し行なう
ことを特徴とする請求項６または７に記載の遊技球移送制御装置。
【請求項９】
遊技球の貯留タンクを備えた複数の遊技機島間で遊技球の移送を制御する遊技球移送制御装置において、
前記複数の遊技機島をグループ分けし、そのグループ毎に、遊技球の平均貯留量を求め、これら平均貯留量の差が減少するようにグループ間で遊技球を移送する
ことを特徴とする遊技球移送制御装置。
【請求項１０】
グループ間での平均貯留量の差を減少させてから、各グループ内で、各遊技機島の貯留量の差が減少するように遊技球を移送する
ことを特徴とする請求項９に記載の遊技球移送制御装置。
【請求項１１】
各遊技機島の貯留量を、それぞれの遊技機島の最大貯留量に対する割合で表わす
ことを特徴とする請求項１、２、３、４、５、６、７、８、９または１０に記載の遊技球移送制御装置。
【発明の詳細な説明】
【技術分野】
【０００１】
本発明は、遊技球の貯留タンクを備えた複数の遊技機島間で遊技球の移送を制御する遊技球移送制御装置に関する。
【背景技術】
【０００２】
遊技場では、パチンコ機などの遊技機を並設収容した遊技機島を店内に複数形成し、遊技に供する遊技球を遊技機島の中で循環させて繰り返し使用するようになっている。各遊技機島は、遊技球の貯留タンクを備えており、過剰な遊技球を貯留タンクに回収したり、貯留タンクから遊技球を補給したりすることで、循環中の遊技球を適正量に維持している。
【０００３】
また、一部の遊技機島には、景品球計数機が設けてあり、遊技者が遊技終了時に保有している賞球などの遊技球は、いずれかの遊技機島の景品球計数機に投入されて計数される。このため、景品球計数機のある遊技機島では、投入された遊技球によって貯留量が増加し、景品球計数機のない遊技機島では貯留量が減少し、次第に遊技機島間で遊技球の貯留量に偏りが生じてくる。
【０００４】
そこで、隣り合う遊技機島同士を移送路で接続し、この移送路を通じて遊技機島相互間で遊技球を移送して偏りを是正することが行なわれている。
【０００５】
たとえば、遊技場内の遊技機島を複数の単位ブロックに分けると共に、隣り合う単位ブロックの境界位置にいずれの単位ブロックにも属さない境界受給島を設け、さらに各単位ブロックの１つの遊技機島に景品球計数機と主球タンクとを設けるようにした遊技球補給システムが提案されている（たとえば、特許文献１参照。）。この遊技球補給システムでは、単位ブロック内の各遊技機島には同じ単位ブロック内の主球タンクを有する遊技機島から移送路を通じて遊技球が補給される。また、境界位置にある境界受給島に対しては、その両隣りの単位ブロック同士で主球タンクの貯留レベルを比較し、その結果に基づいて、いずれの単位ブロックの主球タンクから遊技球を補給するかを切替制御している。
【０００６】
【特許文献１】特許２５１９６４６号公報
【発明の開示】
【発明が解決しようとする課題】
【０００７】
遊技球の移送制御は、通常、各遊技機島に設けた制御部が自島の貯留量と隣接する遊技機島の貯留量とを比較して行なうが、このように隣接する遊技機島と自島との関係だけで移送制御を行なうと、営業終了後に各遊技機島の貯留量を遊技場全体で均一に調整しようとしても、一部の遊技機島間で遊技球が何度も往復して移送される現象が生じ、各遊技機島の貯留量を遊技場全体で均一にすることができなかったり、均一にするまでに相当長い時間を要したりするという問題があった。
【０００８】
また、前述の遊技球補給システムでは、境界受給島に対してその両隣りの単位ブロックのいずれから遊技球を補給するかを切り替えるだけなので、遊技場内に多数の単位ブロックを設けた場合には、これらすべての単位ブロックの貯留量を均一に調整することはできない。また、ブロック単位での調整しかできず、各遊技機島の貯留量を均一にすることはできなかった。
【０００９】
本発明は、上記の問題を解決しようとするものであり、遊技場内の各遊技機島の貯留量を効率よく均一にすることのできる遊技球移送制御装置を提供することを目的としている。
【課題を解決するための手段】
【００１０】
請求項１に係わる発明は、遊技球の貯留タンクを備えた複数の遊技機島（６０）間で遊技球の移送を制御する遊技球移送制御装置において、
前記複数の遊技機島（６０）をグループ分けし、そのグループ毎に、遊技球の平均貯留量を求め、これら平均貯留量の差が減少するようにグループ間で遊技球を移送する動作を、
グループの分け方を変更して繰り返し行なう
ことを特徴とする遊技球移送制御装置である。
【００１１】
上記発明によれば、制御対象の複数の遊技機島（６０）をグループ分けし、そのグループ毎に、遊技球の平均貯留量を求め、これら平均貯留量の差が減少するようにグループ間で遊技球を移送する動作を、グループの分け方を変更して繰り返し行なう。これにより、やがて、どのようにグループ分けしても、グループ間での平均貯留量の差の少ない状態が形成される。すなわち、すべての遊技機島（６０）の貯留量がほぼ均一になる状態が形成される。
【００１２】
また、グループ間での移送をグループの分け方を変更して繰り返し行なうので、各遊技機島（６０）がそれぞれ自島と隣接島との貯留量を比較して個別に移送制御を行なう従来方式と異なり、一部の遊技機島（６０）間で遊技球が何度も往復して移送される現象が生じなくなる。
【００１３】
請求項２に係わる発明は、前記動作を、前記複数の遊技機島（６０）の貯留量のうち最大値と最小値との差が所定値以下になるまで、グループの分け方を変更して繰り返す
ことを特徴とする請求項１に記載の遊技球移送制御装置である。
【００１４】
上記発明によれば、複数の遊技機島（６０）の貯留量のうち最大値と最小値との差が所定値以下になると、移送動作が自動停止して完了する。
【００１５】
請求項３に係わる発明は、前記グループ間の平均貯留量の差が所定値以上の場合のみ、グループ間で遊技球を移送する
ことを特徴とする請求項１または２に記載の遊技球移送制御装置である。
【００１６】
上記発明によれば、グループ間の平均貯留量の差が所定値未満の場合には移送は行なわれない。すなわち、僅少差による移送が何度も生じることが防止される。
【００１７】
請求項４に係わる発明は、一回の移送量を固定量にした
ことを特徴とする請求項１、２または３に記載の遊技球移送制御装置である。
【００１８】
上記発明によれば、一回の移送量が固定量なので、移送制御が簡略になる。
【００１９】
請求項５に係わる発明は、前記複数の遊技機島（６０）は遊技球の移送路（８１）で一列に接続されており、
前記複数の遊技機島（６０）を２つにグループ分けすると共に、グループ分けの境界位置を、前記一列を巡回または往復するように移動させる
ことを特徴とする請求項１、２、３または４に記載の遊技球移送制御装置である。
【００２０】
上記発明によれば、移送路（８１）で一列に接続した複数の遊技機島（６０）は、その途中のいずれかの移送路を境界位置にして２つにグループ分けされ、その境界位置は、一列を巡回または往復するように変更される。一列を巡回または往復するように境界位置を変更するので、グループの分け方に偏りがなくなり、効率よく各遊技機島（６０）の貯留量が均一化される。巡回や往復のスタート位置は、任意でよく、一列の端でなくてもよい。
【００２１】
請求項６に係わる発明は、遊技球の貯留タンクを備えた複数の遊技機島（６０）間で遊技球の移送を制御する遊技球移送制御装置において、
前記複数の遊技機島（６０）は遊技球の移送路（８１）で一列に接続されており、
前記複数の遊技機島（６０）全体の平均貯留量を求め、
貯留量が最大の遊技機島（６０）を検出し、その遊技機島（６０）を境界にした両側の各遊技機島（６０）を一方と他方とにグループ分けし、各グループの平均貯留量を求め、グループでの平均貯留量が全体での平均貯留量より少ないグループへ前記貯留量が最大の遊技機島（６０）から遊技球を移送する動作を、
少なくとも貯留量が最大の遊技機島（６０）を検出することから繰り返し行なう
ことを特徴とする遊技球移送制御装置である。
【００２２】
上記発明によれば、一列に接続されている複数の遊技機島（６０）の中で貯留量が最大の遊技機島（６０）を検出し、これを境界にその両側の各遊技機島（６０）を一方と他方とにグループ分けし、グループ毎の平均貯留量が全体の平均貯留量より少ないグループへ、貯留量が最大の遊技機島（６０）から遊技球を移送する。すなわち、貯留量最大の遊技機島（６０）の遊技球が、グループでの平均貯留量が全体での平均貯留量より少ないグループに配分されて、貯留量の偏りが是正される。この動作により、貯留量が最大であった遊技機島（６０）の貯留量は減少すると共に他の遊技機島（６０）の貯留量が増加するので、貯留量が最大になる遊技機島（６０）は、この動作を繰り返す中で変化し、やがて、すべての場所での偏りが是正されて各遊技機島（６０）の貯留量が均一化される。
【００２３】
また、複数の遊技機島（６０）全体を見た上で移送制御を行なうので、各遊技機島（６０）がそれぞれ自島と隣接島との貯留量を比較して個別に移送制御を行なう従来方式と異なり、一部の遊技機島（６０）間で遊技球が何度も往復して移送される現象が生じなくなる。
【００２４】
請求項７に係わる発明は、遊技球の貯留タンクを備えた複数の遊技機島（６０）間で遊技球の移送を制御する遊技球移送制御装置において、
前記複数の遊技機島（６０）は遊技球の移送路（８１）で一列に接続されており、
前記複数の遊技機島（６０）全体の平均貯留量を求め、
貯留量が最小の遊技機島（６０）を検出し、その遊技機島（６０）を境界にした両側の各遊技機島（６０）を一方と他方とにグループ分けし、各グループの平均貯留量を求め、グループでの平均貯留量が全体での平均貯留量より多いグループから前記貯留量が最小の遊技機島（６０）へ遊技球を移送する動作を、
少なくとも貯留量が最小の遊技機島（６０）を検出することから繰り返し行なう
ことを特徴とする遊技球移送制御装置である。
【００２５】
上記発明によれば、一列に接続されている複数の遊技機島（６０）の中で貯留量が最小の遊技機島（６０）を検出し、これを境界にその両側の各遊技機島（６０）を一方と他方とにグループ分けし、グループ毎の平均貯留量が全体の平均貯留量より多いグループから、貯留量が最小の遊技機島（６０）へ遊技球を移送する。すなわち、グループでの平均貯留量が全体での平均貯留量より多いグループの遊技球が貯留量最小の遊技機島（６０）に配分されて、貯留量の偏りが是正される。この動作により、貯留量が最小であった遊技機島（６０）の貯留量は増加すると共に他の遊技機島（６０）の貯留量が減少するので、貯留量最小になる遊技機島（６０）は、この動作を繰り返す中で変化し、やがて、すべての遊技機島（６０）の貯留量が平均化される。
【００２６】
また、複数の遊技機島（６０）全体を見た上で移送制御を行なうので、各遊技機島（６０）がそれぞれ自島と隣接島との貯留量を比較して個別に移送制御を行なう従来方式と異なり、一部の遊技機島（６０）間で遊技球が何度も往復して移送される現象が生じなくなる。
【００２７】
請求項８に係わる発明は、前記動作を、前記最大あるいは前記最小の貯留量が前記複数の遊技機島（６０）全体の平均貯留量に近づくまで繰り返し行なう
ことを特徴とする請求項６または７に記載の遊技球移送制御装置である。
【００２８】
上記発明によれば、最大または最小の貯留量と遊技機島全体の平均貯留量との差が所定値未満になったとき、移送動作が自動停止して完了する。
【００２９】
請求項９に係わる発明は、遊技球の貯留タンクを備えた複数の遊技機島（６０）間で遊技球の移送を制御する遊技球移送制御装置において、
前記複数の遊技機島（６０）をグループ分けし、そのグループ毎に、遊技球の平均貯留量を求め、これら平均貯留量の差が減少するようにグループ間で遊技球を移送する
ことを特徴とする遊技球移送制御装置である。
【００３０】
上記発明によれば、複数の遊技機島（６０）をグループ分けし、そのグループ毎に、遊技球の平均貯留量を求め、これら平均貯留量の差が減少するようにグループ間で遊技球を移送する。グループの分け方は固定的でもよい。グループ間での平均貯留量の差が目標値未満になるまで移送するとよい。
【００３１】
請求項１０に係わる発明は、グループ間での平均貯留量の差を減少させてから、各グループ内で、各遊技機島（６０）の貯留量の差が減少するように遊技球を移送する
ことを特徴とする請求項９に記載の遊技球移送制御装置である。
【００３２】
上記発明によれば、グループ間での平均貯留量の差を減少させてから、各グループ内で、各遊技機島（６０）の貯留量が平均化される。すなわち、グループ間での平均化とグループ内での平均化との２段階に分けて移送を行なうことで、すべての遊技機島（６０）の貯留量が効率よく平均化される。
【００３３】
請求項１１に係わる発明は、各遊技機島（６０）の貯留量を、それぞれの遊技機島（６０）の最大貯留量に対する割合で表わす
ことを特徴とする請求項１、２、３、４、５、６、７、８、９または１０に記載の遊技球移送制御装置である。
【００３４】
各遊技機島（６０）の最大貯留量は、その遊技機島（６０）の大きさ（収容する遊技機の台数など）に応じて異なる。そこで、各遊技機島（６０）の貯留量を絶対量で表わす代わりにその遊技機島（６０）の最大貯留量に対する割合で表わし、この割合が均一化するように移送制御している。
【発明の効果】
【００３５】
本発明に係わる遊技球移送制御装置によれば、複数の遊技機島をグループ分けして移送制御を行なうので、各遊技機島がそれぞれ自島と隣接島との貯留量を比較して個別に移送制御を行なう従来方式に比べて、遊技機島間での遊技球の往来を減らすことができ、各遊技機島の貯留量を効率よく均一化することができる。
【００３６】
グループ間での平均貯留量の差を減少させてから、各グループ内で、各遊技機島の貯留量の差が減少するように遊技球を移送するものでは、グループと個々の遊技機島との２段階に分けて移送制御するので、効率よくすべての遊技機島の貯留量を均一化することができる。
【００３７】
各遊技機島の貯留量を、それぞれの遊技機島の最大貯留量に対する割合で表わすものでは、各遊技機島の最大貯留量が異なる場合でも、それぞれの遊技機島での充足度が均一になるように遊技球が配分されるので、異なるサイズの遊技機島の混在に対応することができる。
【発明を実施するための最良の形態】
【００３８】
以下、図面に基づき本発明の各種実施の形態を説明する。
【００３９】
図１は、本発明の各実施の形態に係わる遊技球移送制御装置が管理対象にしている遊技機島６０の一例を示している。遊技機島６０は、パチンコ機などの遊技機６１を複数並設して収容しており、これらの遊技機６１で遊技に供するパチンコ球などの遊技球を遊技機島６０の中で循環させて繰り返し使用するように構成されている。詳細には、各遊技機６１から排出された遊技球を遊技機島６０の下部に配置した回収コンベア６２で回収し、これを遊技機島６０の中央に立設された揚送研磨機６３へ搬送する。揚送研磨機６３は、搬送されてきた遊技球を研磨しながら遊技機島６０の上部貯留タンク６４へ揚送し、研磨後の遊技球は上部貯留タンク６４から補給樋６５を通じて各遊技機６１に再度供給される。
【００４０】
また、上部貯留タンク６４から溢れた遊技球や予備の遊技球を、遊技機島６０の下部に配置した複数の下部貯留タンク６６に貯留しておき、上部貯留タンク６４の貯留量が少なくなったときに、下部貯留タンク６６の排出口に設けた開閉装置６８を開いて遊技球を回収コンベア６２上に排出することで、遊技機島６０内で循環する遊技球を適正量に維持するように制御される。
【００４１】
また、隣接する遊技機島６０の上部貯留タンク６４同士の間には、図３（ａ）に示すように、遊技球の通路となる移送路８１が往復に掛け渡してあり、各遊技機島６０における遊技球の貯留量がバランスするように、隣接する遊技機島６０間で移送路８１を通じて遊技球を受け渡しするようになっている。この受け渡しは上部貯留タンク６４に設けた島間球搬送装置６９のシャッタを開閉することで制御される。
【００４２】
このような機能を果たすために、上部貯留タンク６４や下部貯留タンク６６には遊技球の貯留量を検知する貯留量センサ６６ａ（図２参照）が設けてある。また、回収コンベア６２や揚送研磨機６３、開閉装置６８、島間球搬送装置６９には、それぞれの稼動状態や異常の発生を検知するための各種センサ（図示省略）が設けてある。
【００４３】
このほか、遊技球を遊技者に貸し出す台間球貨機６１ａが各遊技機６１に並設されている。また、遊技機島６０の表裏両面に並設された遊技機６１の背面間には、台間球貨機６１ａに取り込まれた紙幣を島端まで搬送する紙幣搬送装置７１と、同じく台間球貨機６１ａに取り込まれた硬貨を島端まで搬送する硬貨搬送装置７２とが、それぞれ遊技機島６０の長手方向に延びるように配設されている。
【００４４】
また、遊技機島６０の一端（図１では右端）には、紙幣搬送装置７１や硬貨搬送装置７２によって搬送されてきた紙幣や硬貨を分別して収納する紙幣金庫７３および硬貨金庫７４が設置されている。さらに、遊技機島６０の他端には、遊技者が獲得した遊技球を計数しながら回収する球計数機７５が設置されている。球計数機７５に投入された遊技球は、球計数機７５に最も近い下部貯留タンク６６に貯留される。
【００４５】
図２は、本実施の形態に係わる遊技球移送制御装置を含む遊技場管理システム１０のシステム構成を示している。遊技場管理システム１０は、遊技場内の各遊技機島６０に設置される島内監視装置１１と、店内ネットワーク１２を通じて島内監視装置１１が接続された遊技設備管理装置１３とから構成される。
【００４６】
遊技設備管理装置１３は、複数の遊技機島６０間で遊技球の移送を制御する遊技球移送制御装置１４としての機能を果たす。遊技設備管理装置１３は図示省略のＣＰＵ（中央演算処理装置）やＲＯＭ（リード・オンリ・メモリ）、ＲＡＭ（ランダム・アクセス・メモリ）、入出力回路、通信部などを主要部とする回路で構成されたコンピュータ装置である。
【００４７】
島内監視装置１１は、図示省略のＣＰＵやＲＯＭ、ＲＡＭ、入出力回路、通信部などを主要部とする回路で構成された中継装置である。島内監視装置１１には、遊技機島６０が備える台間球貨機６１ａや球計数機７５、サブコントローラ７６、回収コンベア６２、揚送研磨機６３、島間球搬送装置６９、紙幣搬送装置７１、硬貨搬送装置７２などが接続されている。サブコントローラ７６の配下には下部貯留タンク６６の貯留量センサ６６ａや開閉装置６８などが接続される。
【００４８】
島内監視装置１１は、遊技機島６０に設置されたこれらの遊技設備機器からその稼動状況や異常状況を表わす状態情報を収集して遊技設備管理装置１３へ送出する機能を果たす。たとえば、貯留量センサ６６ａから上部貯留タンク６４や下部貯留タンク６６の貯留量を示す情報を収集する。また、遊技機６１に打ち込まれた遊技球（入球という。）のカウント情報や遊技機６１が賞球として払い出した遊技球（出球という。）のカウント情報、台間球貨機６１ａが貸し出した遊技球（貸球という。）のカウント情報、球計数機７５に投入された遊技球（景品球という。）のカウント情報などを収集するようになっている。
【００４９】
さらに、島内監視装置１１は遊技設備管理装置１３から送られてくる各種の指示を中継して該当する遊技設備機器に出力したり、遊技設備管理装置１３から送られてきた指示に基づいて該当する遊技設備機器の動作を制御したりする。たとえば、遊技設備管理装置１３からの指示に基づいて開閉装置６８や島間球搬送装置６９のシャッタを開閉制御する機能を果たす。
【００５０】
図３（ａ）は、遊技機島６０の接続状態の一例を示している。遊技場内では、隣接する遊技機島６０同士を遊技球の移送路８１で接続することにより複数の遊技機島６０を一列に繋いである。移送路８１には往路と復路とがある。図中の矢印はそれぞれの移送路８１における遊技球の移送方向を示している。各移送路８１は、移送先に向かって下り傾斜しており、送出元には島間球搬送装置６９のシャッタが設けてある。
【００５１】
なお、説明の便宜上、図３に示す各遊技機島６０を左から順に島１、島２、島３、島４、島５、島６とし、また島１と島２との間の移送路８１を渡り１、島２と島３との間の移送路８１を渡り２、島３と島４との間の移送路８１を渡り３、島４と島５との間の移送路８１を渡り４、島５と島６との間の移送路８１を渡り５とする。また、図中の黒丸は、単位量（１レベル分）の遊技球を示しており、黒丸の個数で各遊技機島６０における遊技球の貯留量を模擬的に表わしている。ここでは、黒丸１つに相当する１レベル分を１回の移送量に設定してある。
【００５２】
図４は、遊技球移送制御装置１４が行なう移送制御処理の流れを示している。この処理は各遊技機島６０における遊技球の貯留量をほぼ均一にするものであり、遊技場の営業終了後などに実行される。遊技球移送制御装置１４は、グループ分けの境界位置となる渡りの番号を示す変数ｎを「１」に初期化する（ステップＳ１０１）。たとえば、ｎを１に初期化したとき、図３の島構成の場合、左端の島１とその右隣りの島２とを接続する渡り１がグループ分けの境界位置になる。
【００５３】
次に、遊技球移送制御装置１４は、貯留量センサ６６ａから収集した情報に基づいて各遊技機島６０の貯留量（貯留レベル）を求め、これを基に、渡りｎの左側の遊技機島（左の島グループという）の平均貯留レベルと、渡りｎの右側の遊技機島（右の島グループという）の平均貯留レベルとを求める（ステップＳ１０２）。そして左右の島グループ間で平均貯留レベルを比較する（ステップＳ１０３）。
【００５４】
左右の島グループ間の平均貯留レベルの差が設定値（たとえば、１レベル）以上か否かを判定し（ステップＳ１０４）、設定値以上の場合は（ステップＳ１０４；Ｙ）、平均貯留レベルが高い方の島グループから低い方の島グループへ遊技球を移送した後（ステップＳ１０５）、再びステップＳ１０２に戻る。ステップＳ１０２からステップＳ１０５までの処理は、左右の島グループ間の平均貯留レベルの差が設定値未満になるまで繰り返し行なわれる。
【００５５】
ここでは、１回に１レベル分の遊技球を移送している。また、移送は、境界位置の渡りの両側の遊技機島間で行なわれる。ただし、移送元の遊技機島に１レベル分の遊技球がない場合は、不足分の遊技球はその島グループ内の他の遊技機島から渡りを通じて移送される。一方、移送先の遊技機島に１レベル分の空き容量がない場合は、その遊技機島の遊技球を同じ島グループ内の他の遊技機島に前もって移送して必要な空き容量を確保するようになっている。
【００５６】
左右の島グループ間の平均貯留レベルの差が設定値未満になると（ステップＳ１０４；Ｎ）、各遊技機島６０の貯留レベルの最大値と最小値とを求め、これらの差が設定値以下か否かを調べる（ステップＳ１０６）。設定値を超える場合は（ステップＳ１０６；Ｎ）、グループ分けの境界位置を変更するために変数ｎに「１」を加算し（ステップＳ１０７）、加算後の変数ｎの値が予め定めた最大値を超えているか否かを調べる（ステップＳ１０８）。図３の例では、変数ｎに「１」を加算する毎に、境界位置になる渡りが１つずつ右へ移動する。また、図３の例では、渡り５までなので、ｎが「６」になると最大値を超える。
【００５７】
加算後のｎが最大値を超えていない場合は（ステップＳ１０８；Ｎ）、ステップＳ１０２に戻り、先と同様の処理を、変更後の境界位置で分けた左右の島グループ間で行なう（ステップＳ１０２からＳ１０４；Ｎ）。
【００５８】
一方、加算後のｎが最大値を超えている場合は（ステップＳ１０８；Ｙ）、グループ分けの境界位置が一列に接続した複数の遊技機島６０を一巡したことになるので、変数ｎを「１」にして（ステップＳ１０１）境界位置を初期位置に戻した後、上記と同様の処理を行なう（ステップＳ１０２からＳ１０４；Ｎ）。
【００５９】
各遊技機島６０の貯留レベルの最大値と最小値との差が設定値以下になった場合は（ステップＳ１０６；Ｙ）、すべての遊技機島６０の貯留レベルがほぼ均一になったので処理を終了する（エンド）。このように、島グループの間で平均貯留レベルの差が減少するように遊技球を島グループ間で移送する動作を、グループの分け方を変更しながら行なうことで、各遊技機島の貯留レベルを効率よく均一化することができる。
【００６０】
図３（ｂ）は、図３（ａ）に示す状態の各遊技機島６０に対して図４に示す移送制御処理を実行した場合の動作を模擬的に示している。初期状態では、島１の貯留レベルは「３」、島２の貯留レベルは「５」、島３の貯留レベルは「２」、島４の貯留レベルは「５」、島５の貯留レベルは「３」、島６の貯留レベルは「５」になっている。
【００６１】
１回目の処理では、渡り１が境界位置となり（図４、Ｓ１０１）、左の島グループ「島１」と、右の島グループ「島２、島３、島４、島５、島６」とにグループ分けされる（Ｐ１）。このとき左の島グループの平均貯留レベルは「３」で右の島グループの平均貯留レベルは「４」になる（Ｐ２、Ｓ１０２、Ｓ１０３）。したがって、１レベル以上の差があるので（Ｓ１０４；Ｙ）、移送動作が発生し（Ｓ１０５）、平均貯留レベルが高い右の島グループから平均貯留レベルが低い左の島グループへ１レベル分の遊技球が移送される（Ｐ２）。
【００６２】
図５は、上記１回目の処理における移送動作とその移送動作終了後の貯留状態とを示している。この移送動作では、図５（ａ）に示すように、グループ分けの境界位置にある渡り１を挟む島２から島１へ渡り１を通じて１レベル分の遊技球が移送される。移送後は、左の島グループの平均貯留レベルは「４」に、右の島グループの平均貯留レベルは「３.８」になっている（同図ｂ）。移送後の各島の貯留レベルは同図（ｃ）に示すように島１から順に「４、４、２、５、３、５」となっている。
【００６３】
この移送動作により左右の島グループ間の平均貯留レベルの差は１レベル未満になる（Ｓ１０４；Ｎ）。しかし、島１〜島６の中の最大貯留レベルは島４および島６の「５」で、最小貯留レベルは島３の「２」であり、その差が１レベルを超えている。そこで、グループ分けの境界位置を変更して２回目の処理を行なう。
【００６４】
２回目の処理では、図３（ｂ、Ｐ３）に示すように、境界位置を島２と島３との間の渡り２に移動させ（Ｓ１０７）、左の島グループ「島１、島２」と、右の島グループ「島３、島４、島５、島６」とにグループ分けを変更する。このとき、左の島グループの平均貯留レベルは「４」で右の島グループの平均貯留レベルは「３.７５」となる（Ｐ４）。これらの差は１レベル未満なので（Ｓ１０４；Ｎ）、移送動作は発生しない。また、移送動作を行なわないので、当然、島１〜島６の中の最大貯留レベル「５」と最小貯留レベル「２」とにも変化はなく、その差が１レベルを超えている（Ｓ１０６；Ｎ）。そこで、グループ分けの境界位置を変更して３回目の処理を行なう。
【００６５】
３回目の処理では、図３（ｂ、Ｐ５）に示すように、境界位置を島３と島４との間の渡り３に移動させ（Ｓ１０７）、左の島グループ「島１、島２、島３」と、右の島グループ「島４、島５、島６」とにグループ分けを変更する。このとき、左の島グループの平均貯留レベルは「３.３」で右の島グループの平均貯留レベルは「４.３」となる（Ｐ６、Ｓ１０２、Ｓ１０３）。１レベル以上の差があるので（Ｓ１０４；Ｙ）、移送動作が発生し（Ｓ１０５）、平均貯留レベルが高い右の島グループから平均貯留レベルが低い左の島グループへ１レベル分の遊技球が移送される。
【００６６】
図６は、上記３回目の処理における移送動作とその移送動作終了後の貯留状態とを示している。この移送動作では、図６（ａ）に示すように、グループ分けの境界位置にある渡り３を挟む島４から島３へ渡り３を通じて１レベル分の遊技球が移送される。移送後は、左の島グループの平均貯留レベルは「３.６７」に、右の島グループの平均貯留レベルは「４」になっている（同図ｂ）。移送後の各島の貯留レベルは同図（ｃ）に示すように島１から順に「４、４、３、４、３、５」となっている。
【００６７】
この移送動作により左右の島グループ間の平均貯留レベルの差は１レベル未満になる（Ｓ１０４；Ｎ）。しかし、島１〜島６の中の最大貯留レベルは島６の「５」で、最小貯留レベルは島３および島５の「３」であり、その差が１レベルを超えている。そこで、グループ分けの境界位置を変更して４回目の処理を行なう。
【００６８】
４回目の処理では、図３（ｂ、Ｐ７）に示すように、境界位置を島４と島５の間の渡り４に移動させ（Ｓ１０７）、左の島グループ「島１、島２、島３、島４」と、右の島グループ「島５、島６」とにグループ分けを変更する。このとき、左の島グループの平均貯留レベルは「３.７５」で右の島グループの平均貯留レベルは「４」となる（Ｐ８）。これらの差は１レベル未満なので（Ｓ１０４；Ｎ）、移送動作は発生しない。また、移送動作を行なわないので、当然、島１〜島６の中の最大貯留レベル「５」と最小貯留レベル「３」とにも変化はなく、その差が１レベルを超えている（Ｓ１０６；Ｎ）。そこで、グループ分けの境界位置を変更して５回目の処理を行なう。
【００６９】
５回目の処理では、図３（ｂ、Ｐ９）に示すように、境界位置を島５と島６との間の渡り５に移動させ（Ｓ１０７）、左の島グループ「島１、島２、島３、島４、島５」と、右の島グループ「島６」とにグループ分けを変更する。このとき、左の島グループの平均貯留レベルは「３.６」で右の島グループの平均貯留レベルは「５」となる（Ｐ１０）。１レベル以上の差があるので（Ｓ１０４；Ｙ）、移送動作が発生し（Ｓ１０５）、平均貯留レベルが高い右の島グループから平均貯留レベルが低い左の島グループへ１レベル分の遊技球が移送される。
【００７０】
図７は、上記５回目の処理における移送動作とその移送動作終了後の貯留状態とを示している。この移送動作では、図７（ａ）に示すように、グループ分けの境界位置にある渡り５を挟む島６から島５へ渡り５を通じて１レベル分の遊技球が移送される。移送後は、左の島グループの平均貯留レベルは「３.８」に、右の島グループの平均貯留レベルは「４」になっている（図７（ｂ）、図３（Ｐ１１）。また、移送後の各島の貯留レベルは図７（ｃ）に示すように島１から順に「４、４、３、４、４、４」となっている。
【００７１】
この移送動作により左右の島グループ間の平均貯留レベルの差は１レベル未満になる（Ｓ１０４；Ｎ）。また、島１〜島６の中の最大貯留レベルは島１、島２、島４、島５、島６の「４」で、最小貯留レベルは島３の「３」であり、その差が１レベル以下になってほぼ均一になるので（Ｓ１０６；Ｙ）、一連の移送処理を終了する（エンド）。このようにして、全遊技機島６０の貯留レベルがほぼ均一に調整される。
【００７２】
次に、第２の実施の形態を説明する。装置構成は第１の実施の形態と同一であり、その説明は省略する。
【００７３】
図８は、第２の実施の形態の遊技球移送制御装置１４が行なう第２移送制御処理の流れを示している。この処理は第１の実施の形態と同様に各遊技機島６０における遊技球の貯留量をほぼ均一にするものであり、遊技場の営業終了後などに実行される。また、図３と同様に一列に移送路８１で接続された複数の遊技機島６０を移送制御の対象にしている。
【００７４】
遊技球移送制御装置１４は、貯留レベルが最大の遊技機島を検出し（ステップＳ２０１）、その遊技機島を境界にした両側の各遊技機島を一方と他方との島グループに分け、各島グループの平均貯留レベルを求める（ステップＳ２０２）。次に、全遊技機島６０の平均貯留レベルを求め（ステップＳ２０３）、島グループでの平均貯留量が全遊技機島６０での平均貯留レベルより少ない島グループへ、貯留レベルが最大の遊技機島から遊技球を移送する（ステップＳ２０４）。
【００７５】
この移送動作により、貯留レベルが最大であった遊技機島の貯留レベルと全遊技機島６０の平均貯留レベルとの差が所定値未満（たとえば、１レベル未満）に近づいたか否かを判定し（ステップＳ２０５）、所定値未満でない場合は（ステップＳ２０５；Ｎ）、今回の移送動作によって貯留レベル最大の島の位置が変化したか否かを調べる（ステップＳ２０６）。変化していない場合は（ステップＳ２０６；Ｎ）、再度上記の移送動作を実行する（ステップＳ２０４）。
【００７６】
貯留レベルが最大であった遊技機島の貯留レベルと全遊技機島６０の平均貯留レベルとの差が所定値未満に近づいた場合（ステップＳ２０５；Ｙ）もしくは貯留レベル最大の島の位置が変化した場合は（ステップＳ２０６；Ｙ）、各遊技機島６０の貯留レベルが全遊技機島６０の平均貯留レベルに近づいたか否かを判定する（ステップＳ２０７）。たとえば、各遊技機島６０の貯留レベルと全遊技機島６０の平均貯留レベルとの差がすべての遊技機島６０において所定値未満になったか否かを判定する。
【００７７】
各遊技機島６０の貯留レベルが全遊技機島６０の平均貯留レベルに近づいていない場合は（ステップＳ２０７；Ｎ）、ステップＳ２０１に戻り、貯留レベルが最大の遊技機島を検出することから処理を繰り返す。各遊技機島６０の貯留レベルが全遊技機島６０の平均貯留レベルに近づいたときは（ステップＳ２０７；Ｙ）、本処理を終了する（エンド）。
【００７８】
次に、図９（ａ）に示す貯留状態の各遊技機島６０に対して図８の移送制御処理を実行した場合の動作を説明する。図９（ａ）は、図３（ａ）と同様の島構成であり、各遊技機島６０を島１〜島６とし、隣接する島を接続する移送路を渡り１〜渡り５とし、１回の移送を１レベル単位で行なうようになっている。移送制御処理を行なう前の初期状態は、島１の貯留レベルが「３」、島２の貯留レベルが「５」、島３の貯留レベルが「２」、島４の貯留レベルが「６」、島５の貯留レベルが「３」、島６の貯留レベルが「５」になっている。
【００７９】
図９（ｂ、Ｐ２１）に示すように、１回目の処理では、貯留レベル最大の島は貯留レベル「６」の島４なので（図８、Ｓ２０１）、この島４を境界位置として左の島グループは「島１、島２、島３」に、右の島グループ「島５、島６」になる（図９（ｂ、Ｐ２１））。また、左の島グループの平均貯留レベルは「３.３」、右の島グループの平均貯留レベルは「４」、全島の平均貯留レベルは「４」になる（Ｐ２１、Ｓ２０２、Ｓ２０３）。左の島グループの平均貯留レベル「３.４」は全島の平均貯留レベル「４」より低いので、島４から左の島グループへ遊技球が１レベル分移送される（Ｐ２２、Ｓ２０４）。移送後も未だ島４の貯留レベルは「５」で全島の平均貯留レベル「４」より高く（Ｓ２０５；Ｎ）しかも貯留レベル最大の島の位置は変化していないので（Ｓ２０６；Ｎ）、再度、１レベル分の遊技球が島４から左の島グループへ移送される（Ｐ２３、Ｓ２０４）。
【００８０】
これにより、島４の貯留レベルは全島の平均貯留レベルと同じ「４」になる（Ｓ２０５；Ｙ）。しかし、各島の貯留レベルは島１から順に「３、５、４、４、３、５」となっており、島の貯留レベルが全島の平均貯留レベル「４」の所定範囲内に近づいていない島がある（Ｓ２０７；Ｎ）。
【００８１】
そこで、最大の島を検出し直すことから再度処理を行なう（Ｓ２０１）。このとき島２と島６とがいずれも貯留レベル「５」になっているので、このいずれか一方を境界位置に選択する。この例では島２を貯留レベル最大の島に選択している。島２を境界とした左の島グループ「島１」の平均貯留レベルは「３」、右の島グループ「島３、島４、島５、島６」の平均貯留レベルは「４」、全島の平均貯留レベルは「４」になる（Ｐ２４、Ｓ２０２、Ｓ２０３）。左の島グループの平均貯留レベル「３」は全島の平均貯留レベル「４」より低いので、島２から左の島グループの島１へ遊技球が１レベル分移送される（Ｐ２５、Ｓ２０４）。
【００８２】
これにより、島２の貯留レベルは全島の平均貯留レベルと同じ「４」になるが（Ｓ２０５；Ｙ）、各島の貯留レベルは島１から順に「４、４、４、４、３、５」となっており、島の貯留レベルが全島の平均貯留レベル「４」に近づいていない島がある（Ｓ２０７；Ｎ）。
【００８３】
そこで、もう一度、最大の島を検出し直す（Ｓ２０１）。今度は、島６が貯留レベル「５」で最大になる。島６を境界とした左の島グループ「島１、島２、島３、島４、島５」の平均貯留レベルは「３.８」で右の島グループは存在しない（Ｐ２６、Ｓ２０２、Ｓ２０３）。左の島グループの平均貯留レベル「３.８」は全島の平均貯留レベル「４」より低いので、島６から左の島グループの島５へ遊技球が１レベル分移送される（Ｐ２７、Ｓ２０４）。
【００８４】
これにより、島６の貯留レベルは全島の平均貯留レベルと同じ「４」になり（Ｓ２０５；Ｙ）、さらに各島の貯留レベルもすべて全島の平均貯留レベルと同じ「４」になるので（Ｓ２０７；Ｙ）、移送制御処理が終了する。このようにして、全遊技機島６０の貯留レベルがほぼ均一に調整される。
【００８５】
次に、第３の実施の形態を説明する。装置構成は第１、第２の実施の形態と同一であり、その説明は省略する。
【００８６】
図１０は、第３の実施の形態の遊技球移送制御装置１４が行なう第３移送制御処理の流れを示している。この処理は第２の実施の形態と同様に各遊技機島６０における遊技球の貯留量をほぼ均一にするものであり、遊技場の営業終了後などに実行される。また、図３と同様に一列に移送路８１で接続された複数の遊技機島６０を移送制御の対象にしている。
【００８７】
遊技球移送制御装置１４は、貯留レベルが最小の遊技機島を検出し（ステップＳ３０１）、その遊技機島を境界にした両側の各遊技機島を一方と他方との島グループに分け、各島グループの平均貯留レベルを求める（ステップＳ３０２）。次に、全遊技機島６０の平均貯留レベルを求め（ステップＳ３０３）、島グループでの平均貯留量が全遊技機島６０での平均貯留レベルより高い島グループから貯留レベルが最小の遊技機島へ遊技球を移送する（ステップＳ３０４）。
【００８８】
この移送動作により、貯留レベルが最小であった遊技機島の貯留レベルと全遊技機島６０の平均貯留レベルとの差が所定範囲内（たとえば、１レベル未満）に近づいたか否かを判定し（ステップＳ３０５）、所定範囲内にない場合は（ステップＳ３０５；Ｎ）、先の移送動作によって貯留レベル最小の島の位置が変化したか否かを調べる（ステップＳ３０６）。変化していない場合は（ステップＳ３０６；Ｎ）、再度上記の移送動作を実行する（ステップＳ３０４）。
【００８９】
貯留レベルが最小であった遊技機島の貯留レベルと全遊技機島６０の平均貯留レベルとの差が所定範囲内に近づいた場合（ステップＳ３０５；Ｙ）もしくは貯留レベル最小の島の位置が変化した場合は（ステップＳ３０６；Ｙ）、各遊技機島６０の貯留レベルが全遊技機島６０の平均貯留レベルに近づいたか否かを判定する（ステップＳ３０７）。たとえば、各遊技機島６０の貯留レベルと全遊技機島６０の平均貯留レベルとの差がすべての遊技機島６０について１レベル未満になったか否かを判定する。
【００９０】
各遊技機島６０の貯留レベルが全遊技機島６０の平均貯留レベルに近づいていない場合は（ステップＳ３０７；Ｎ）、ステップＳ３０１に戻り、貯留レベルが最小の遊技機島を検出することから処理を繰り返す。各遊技機島６０の貯留レベルが全遊技機島６０の平均貯留レベルに近づいたときは（ステップＳ３０７；Ｙ）、本処理を終了する（エンド）。このようにして、全遊技機島６０の貯留レベルがほぼ均一に調整される。
【００９１】
次に、図１１（ａ）に示す貯留状態の各遊技機島６０に対して図１０に示す移送制御処理を実行した場合の動作を説明する。図１１（ｂ）は、図３（ｂ）と同様の島構成である。また、各遊技機島６０を島１〜島６とし、隣接する島を接続する移送路を渡り１〜渡り５とし、１回の移送を１レベル単位で行なうようになっている。移送制御処理を行なう前の初期状態では、島１の貯留レベルが「４」、島２の貯留レベルが「５」、島３の貯留レベルが「２」、島４の貯留レベルが「１」、島５の貯留レベルが「３」、島６の貯留レベルが「４」になっている。
【００９２】
図１１（ｂ、Ｐ３１）に示すように、１回目の処理では、貯留レベル最小の島は貯留レベル「１」の島４なので（図１０、Ｓ３０１）、島４を境界位置として左の島グループは「島１、島２、島３」になり、右の島グループは「島５、島６」になる（図１１（ｂ、Ｐ３１））。左の島グループの平均貯留レベルは「３.７」、右の島グループの平均貯留レベルは「３.５」、全島の平均貯留レベルは「３.１７」になる（Ｐ３１、Ｓ３０２、Ｓ３０３）。左の島グループの平均貯留レベル「３.７」は全島の平均貯留レベル「３.１７」より高いので、左の島グループから島４へ遊技球が１レベル分移送される（Ｐ３２、Ｓ３０４）。
【００９３】
これにより、各島の貯留レベルは島１から順に「４、５、１、２、３、４」になる。島４の貯留レベルは「２」になるがまだ全島の平均貯留レベル「３.１７」の所定範囲内には近づいていない（ステップＳ３０５；Ｎ）。一方、島３の貯留レベルが「１」になるので、貯留レベル最小の島は島４から島３に変化する（ステップＳ３０６；Ｙ）。また、島の貯留レベルが全島の平均貯留レベル「３.１７」の所定範囲内に近づいていない島がある（Ｓ３０７；Ｎ）。
【００９４】
そこで、新たに貯留レベルが最小となった島３を境界にしてグループ分けを変更する（Ｐ３３、Ｓ３０１）。島３を境界とした左の島グループ「島１、島２」の平均貯留レベルは「４.５」、右の島グループ「島４、島５、島６」の平均貯留レベルは「３」、全島の平均貯留レベルは「３.１７」になる（Ｐ３３、Ｓ３０２、Ｓ３０３）。左の島グループの平均貯留レベル「４.５」は全島の平均貯留レベル「３.１７」より高いので、左の島グループの島２から貯留レベル最小の島３へ遊技球が１レベル分移送される（Ｐ３４、Ｓ３０４）。
【００９５】
この移送により各島の貯留レベルは島１から順に「４、４、２、２、３、４」になる。島３の貯留レベルは「２」になるがまだ全島の平均貯留レベル「３.１７」の所定範囲内には近づいていない（ステップＳ３０５；Ｎ）。また、貯留レベル最小の島の位置は変化していない（ステップＳ３０６；Ｎ）。そこで、左の島グループから島３へ遊技球が１レベル分再度移送される（Ｐ３５、Ｓ３０４）。
【００９６】
この移送により各島の貯留レベルは島１から順に「４、３、３、２、３、４」になる。移送後の島３の貯留レベル「３」は全島の平均貯留レベル「３.１７」の所定範囲内に入る（ステップＳ３０５；Ｙ）。しかし、島の貯留レベルが全島の平均貯留レベル「３.１７」の所定範囲内に近づいていない島がある（Ｓ３０７；Ｎ）。
【００９７】
そこで、貯留レベルが最小の島を改めて検出する（Ｓ３０１）。貯留レベル最小の島は貯留レベル「２」の島４であり（Ｓ３０１）、島４を境界位置として左の島グループ「島１、島２、島３」と右の島グループ「島５、島６」とにグループ分けする（Ｐ３６）。左の島グループの平均貯留レベルは「３.３」、右の島グループの平均貯留レベルは「３．５」、全島の平均貯留レベルは「３.１７」になり（Ｓ３０３）、右の島グループの平均貯留レベル「３.５」は全島の平均貯留レベル「３.１７」より高いので、右の島グループから貯留レベル最小の島４へ遊技球が１レベル分移送される（Ｐ３７、Ｓ３０４）。
【００９８】
これにより、各島の貯留レベルは島１から順に「４、３、３、３、２、４」になる。島４の貯留レベルは「３」になり全島の平均貯留レベル「３.１７」の所定範囲内に近づいている（ステップＳ３０５；Ｙ）。しかし、島の貯留レベルが全島の平均貯留レベル「３.１７」の所定範囲内に近づいていない島がある（Ｓ３０７；Ｎ）。
【００９９】
そこで、貯留レベルが最小の島５を改めて検出し（Ｓ３０１）、島５を境界位置として左の島グループ「島１、島２、島３、島４」と右の島グループ「島６」とにグループ分けする（Ｐ３８）。左の島グループの平均貯留レベルは「３.３」、右の島グループの平均貯留レベルは「４」、全島の平均貯留レベルは「３.１７」になり（Ｓ３０３）、右の島グループの平均貯留レベル「４」は全島の平均貯留レベル「３.１７」より高いので、右の島グループから貯留レベル最小の島５へ遊技球が１レベル分移送される（Ｐ３９、Ｓ３０４）。
【０１００】
これにより、各島の貯留レベルは島１から順に「４、３、３、３、３、３」になる。島５の貯留レベル「３」は全島の平均貯留レベル「３.１７」の所定範囲内に近づいている（ステップＳ３０５；Ｙ）。また、各島の貯留レベルもすべて全島の平均貯留レベルの所定範囲内に収まっているので（Ｓ３０７；Ｙ）、処理を終了する（エンド）。これにより、全遊技機島６０の貯留レベルがほぼ均一に調整される。
【０１０１】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０２】
たとえば、第１の実施の形態では一列に接続された複数の遊技機島を巡回するようにグループ分けの境界位置を移動させたが、一列を往復するように境界位置を移動させてもよい。
【０１０３】
また、１レベルを単位に遊技球を移送させたが、移送の単位は適宜に設定すればよい。また、適切な移送量を計算し、その都度、移送量を変化させるように構成してもよい。たとえば、差が大きい場合には、２レベル分一度に移動させてもよい。
【０１０４】
また、貯留レベルや平均貯留レベルを比較して移送の要否を判断する際の基準にする設定値などは１レベルに限らず適当な値を採用すればよい。
【０１０５】
第２の実施の形態で示した移送制御処理の手順は一例であり、貯留レベルが最大の島から、その両隣りの島グループのうち平均貯留レベルが全島の平均貯留レベルより低い島グループに遊技球を移送することで、貯留レベル最大の島の貯留レベルと移送先の島グループの平均貯留レベルとが平準化されれば、他の処理手順でもよい。
【０１０６】
また、第３の実施の形態で示した移送制御処理の手順は一例であり、貯留レベルが最小の島へ、その両隣りのグループのうち平均貯留レベルが全島の平均貯留レベルより高いグループから遊技球を移送することで、貯留レベルが最小の島の貯留レベルと移送元のグループの平均貯留レベルとが平準化されれば、他の処理手順でもかまわない。
【０１０７】
また、実施の形態では、移送制御処理を複数の遊技機島全体を対象にして行なったが、遊技場内の遊技機島が多数存在する場合には、移送制御を複数段階に分けて行なうように構成してもよい。たとえば、第１段階では、遊技場内の多数の遊技機島を６個ずつにグループ分けし、各グループを１つの遊技機島と見なして移送制御処理を実行してグループ単位で遊技場内の遊技機島の貯留レベルを均一にする。第２段階では、各グループ毎にそのグループ内で移送制御処理を適用し、遊技機島単位で貯留レベルを均一にする。
【０１０８】
また、グループ分けを固定化してもよい。すなわち、第１段階では、固定化したグループ間で平均貯留レベルを均一にし、その後、各グループの中で個々の遊技機島の貯留レベルが均一になるように移送制御を行なってもよい。たとえば、１２個の島を６島ずつのグループに分け、まず、グループの平均貯留レベルが均一になるようにグループ間で遊技球を移送する。その後、各グループに対してそれぞれ第１〜第３の実施の形態に示したいずれかの移送制御処理を適用するとよい。全体に対して移送制御処理を行なう場合に比べて、効率よく短時間に貯留レベルを均一にすることができる。特にグループ毎の動作は複数のグループで並行に実行できるので作業時間が短縮される利点がある。
【０１０９】
また、各遊技機島の貯留量を、それぞれの遊技機島の最大貯留量に対する割合で表わすようにしてもよい。各遊技機島の最大貯留量は、その遊技機島の大きさ（収容する遊技機の台数など）に応じて異なるので、各遊技機島の貯留量を絶対量で表わす代わりにその遊技機島の最大貯留量に対する割合で表わし、この割合が均一化するように移送制御するとよい。
【０１１０】
たとえば、第１の実施の形態に係わる移送制御で貯留割合を均一化する場合には、渡りｎから見た左右の島グループの平均貯留割合を比較し、平均貯留割合の差が一定以上の場合に、割合の高い島グループから低い島グループへ遊技球を移送することを、グループの分け方を変更して繰り返し行なう。
【０１１１】
また、第２の実施の形態に係わる移送制御で貯留割合を均一化する場合には、複数の遊技機島全体の平均貯留割合を求め、貯留割合が最大の遊技機島を検出し、その遊技機島を境界にした両側の各遊技機島を一方と他方とにグループ分けし、各グループの平均貯留割合を求め、グループでの平均貯留割合が全体での平均貯留割合より少ないグループへ、貯留割合が最大の遊技機島から遊技球を移送する動作を、少なくとも貯留割合が最大の遊技機島を検出することから繰り返し行なうようにすればよい。
【０１１２】
また、第３の実施の形態に係わる移送制御で貯留割合を均一化する場合には、複数の遊技機島全体の平均貯留量を求め、貯留割合が最小の遊技機島を検出し、その遊技機島を境界にした両側の各遊技機島を一方と他方とにグループ分けし、各グループの平均貯留割合を求め、グループでの平均貯留割合が全体での平均貯留割合より多いグループから、貯留割合が最小の遊技機島へ遊技球を移送する動作を、少なくとも貯留割合が最小の遊技機島を検出することから繰り返し行なうようにすればよい。
【図面の簡単な説明】
【０１１３】
【図１】本発明の実施の形態に係わる遊技球移送制御装置が制御対象にする遊技機島の内部構造の一例を示す説明図である。
【図２】本発明の実施の形態に係わる遊技球移送制御装置を含む遊技場管理システムの構成を示すブロック図である。
【図３】複数の遊技機島が移送路で一列に接続された状態の一例と、これに対して第１の実施の形態に係わる移送制御処理を施した場合の動作とを模擬的に示す説明図である。
【図４】本発明の第１の実施の形態に係わる遊技球移送制御装置が行なう移送制御処理を示す流れ図である。
【図５】図３（ｂ、Ｐ２）における移送動作とその移送動作終了後の貯留状態とを示す説明図である。
【図６】図３（ｂ、Ｐ６）における移送動作とその移送動作終了後の貯留状態とを示す説明図である。
【図７】図３（ｂ、Ｐ１０）における移送動作とその移送動作終了後の貯留状態とを示す説明図である。
【図８】本発明の第２の実施の形態に係わる遊技球移送制御装置が行なう移送制御処理を示す流れ図である。
【図９】本発明の第２の実施の形態に係わる移送制御処理を施す複数の遊技機島における貯留状態の一例と、これに図８の移送制御処理を施した場合の動作とを模擬的に示す説明図である。
【図１０】本発明の第３の実施の形態に係わる遊技球移送制御装置が行なう移送制御処理を示す流れ図である。
【図１１】本発明の第３の実施の形態に係わる移送制御処理を施す複数の遊技機島における貯留状態の一例と、これに図１０の移送制御処理を施した場合の動作とを模擬的に示す説明図である。
【符号の説明】
【０１１４】
１０…遊技場管理システム
１１…島内監視装置
１２…店内ネットワーク
１３…遊技設備管理装置
１４…遊技球移送制御装置
６０…遊技機島
６１…遊技機
６１ａ…台間球貨機
６２…回収コンベア
６３…揚送研磨機
６４…上部貯留タンク
６５…補給樋
６６…下部貯留タンク
６６ａ…貯留量センサ
６８…開閉装置
６９…島間球搬送装置
７１…紙幣搬送装置
７２…硬貨搬送装置
７３…紙幣金庫
７４…硬貨金庫
７５…球計数機
７６…サブコントローラ
８１…移送路
【図１】
2006271573.tif 000003
【図２】
2006271573.tif 000004
【図３】
2006271573.tif 000005
【図４】
2006271573.tif 000006
【図５】
2006271573.tif 000007
【図６】
2006271573.tif 000008
【図７】
2006271573.tif 000009
【図８】
2006271573.tif 000010
【図９】
2006271573.tif 000011
【図１０】
2006271573.tif 000012
【図１１】
2006271573.tif 000013